(57)【要約】      （修正有）【課題】水抜き金具とコンクリート本体との固定を確実なものとし、永年使用による変形がなく、また、水抜き金具の成型が容易で、さらに、使用時の排水がスムーズで、清掃が容易な、側溝蓋と、水抜き金具を提供する。【解決手段】コンクリート本体２の上面に、水抜き孔１６を有する水抜き金具１０が埋め込み状に固定されている、側溝蓋１において、水抜き金具１０は、その両側片部の下縁部には、長手方向に全通して外方向に略Ｌ形折曲状に係止片が形成され、上片部の中間部には、その長手方向に全通して溝部１４が折曲状に形成され、溝部１４の両側壁部は、上片部の上面左右の略水平な土手部１５，１５に対し上方向に拡大するように傾斜状に形成され、溝部１４の溝底と土手部１５，１５には水抜き孔１６が形成されている。【選択図】図１
0003181930.tif 000002
【実用新案登録請求の範囲】
【請求項１】
コンクリート本体（２）の上面に、水抜き孔（１６）を有する水抜き金具（１０）が埋め込み状に固定され、水抜き孔（１６）から導入される排水が、コンクリート本体（２）に上下貫通状に形成された水抜き口（３）を介して、排出されるようにした道路などの側溝蓋（１）において、
水抜き金具（１０）は、開放部を下向きとした断面略コ形状とされるとともに、その両側片部の下縁部には、長手方向に全通して外方向に略Ｌ形折曲状に係止片（１３，１３）が形成され、水抜き金具（１０）の上片部（１２）の中間部には、その長手方向に全通して溝部（１４）が折曲状に形成され、溝部（１４）の両側壁部は、上片部（１２）の上面左右の略水平な土手部（１５，１５）に対し上方向に拡大するように傾斜状に形成され、溝部（１４）の溝底と土手部（１５，１５）には水抜き孔（１６）が形成されており、
前記水抜き金具（１０）の係止片（１３，１３）が前記コンクリート本体（２）のコンクリート内部に突出して一体的に抜け止め固定されていることを特徴とする道路などの側溝蓋。
【請求項２】
前記水抜き金具（１０）は、その前記溝部（１４）の溝底の複数位置に、水抜き金具（１０）の長手方向に長い長孔（１６ａ）が間隔を置いて形成され、複数の各長孔（１６ａ）の両側部に対向する前記土手部（１５，１５）には、各長孔（１６ａ）の長手方向に沿って間隔をおいて複数の丸孔よりなる小孔（１６ｂ）が形成され、各長孔（１６ａ）とその両側部に対向する複数の各小孔（１６ｂ）の組により、前記水抜き孔（１６）が形成されていることを特徴とする請求項１に記載の道路などの側溝蓋。
【請求項３】
前記水抜き金具（１０）に形成された前記長孔（１６ａ）の少なくとも一部の長孔（１６ａ）の長手方向の中間部には、長孔（１６ａ）の幅を大径とするように丸孔よりなる大径部（１６ａ’）が形成されていることを特徴とする請求項２に記載の道路などの側溝蓋。
【請求項４】
請求項１乃至３のいずれか１項に記載の道路などの側溝蓋（１）に用いる水抜き金具（１０）において、
水抜き金具（１０）は、開放部を下向きとした断面略コ形状とされるとともに、その両側片部の下縁部には、長手方向に全通して外方向に略Ｌ形折曲状に係止片（１３，１３）が形成され、水抜き金具（１０）の上片部（１２）の中間部には、その長手方向に全通して溝部（１４）が折曲状に形成され、溝部（１４）の両側壁部は、上片部（１２）の上面左右の土手部（１５，１５）に対し上方向に拡大するように傾斜状に形成され、溝部（１４）の溝底と土手部（１５，１５）には水抜き孔（１６）が形成されていることを特徴とする水抜き金具。
【請求項５】
前記水抜き金具（１０）は、その前記溝部（１４）の溝底の複数位置に、水抜き金具（１０）の長手方向に沿って長い長孔（１６ａ）が間隔を置いて形成され、複数の各長孔（１６ａ）の両側部に対向する前記土手部（１５）には、複数の各長孔（１６ａ）の長手方向に沿って間隔をおいて複数の丸孔よりなる小孔（１６ｂ）が形成され、各長孔（１６ａ）とその両側部に対向する各小孔（１６ｂ）の組により、前記水抜き孔（１６）が形成されており、前記長孔（１６ａ）のうち少なくとも一部の長孔（１６ａ）の長手方向の中間部には、長孔の幅を大径とするように丸孔よりなる大径部（１６ａ’）が形成されていることを特徴とする請求項４に記載の水抜き金具。
【考案の詳細な説明】
【技術分野】
【０００１】
本考案は、道路などの側溝を覆う側溝蓋、及び該側溝蓋の一部となる水抜き金具に関する。
【背景技術】
【０００２】
一般に、道路などの側溝を覆う側溝蓋としては、コンクリートブロック製のもの、鋼材を格子状に組み込んだグレーチングが用いられている。
【０００３】
これに対し、側溝蓋の本体を構成するコンクリート本体の上面に、水抜き孔を有する断面略コ形の水抜き金具を埋め込み状に固定し、水抜き金具の水抜き孔からコンクリート本体に形成された水抜き口を通して側溝内に排水させる、下記特許文献１及び２の複合形の側溝蓋が、実用化されている。
【先行技術文献】
【特許文献】
【０００４】
【特許文献１】特許第３３６４７１４号公報
【特許文献２】意匠登録第１４２３１３７号公報
【考案の概要】
【考案が解決しようとする課題】
【０００５】
上記複合形の側溝蓋のうち、特許文献１の側溝蓋は、コンクリート本体に水抜き金具を固定させるために、断面略コ形水抜き金具の両側片部に、複数のコンクリート導入孔を設け、成型時に、導入孔内に生コンを突出固化させることにより、コンクリート本体に水抜き金具を固定させるようにしている。
また、特許文献２の側溝蓋は、コンクリート本体に水抜き金具を固定させるために、断面略コ形水抜き金具の両側片部に、複数の突起よりなる固定アンカーを突出させ、固定アンカーをコンクリート内に突出固化させることにより、コンクリート本体に水抜き金具を固定させるようにしている。
ところが、特許文献１及び２の水抜き金具の固定構造では、コンクリート本体との固定が水抜き金具の長手方向に沿って部分的となり、その固定作業が面倒で、固定の不完全による不良品が発生することがある。また、永年使用による荷重状況とコンクリートの品質劣化によって、水抜き金具がコンクリート本体の上面において落ち込み傾くという課題がある。
【０００６】
また、特許文献１の側溝蓋に用いる水抜き金具では、その略コ形の金具上片部を凹凸形状に成型し、凹部内に水抜き孔を形成しており、その凹凸成型時に、ひび割れが生じ易く、不良品の原因となる。また、使用時に凹部内にゴミが詰まりやすく、掃除が面倒である。
さらに、特許文献２の側溝蓋に用いる水抜き金具では、その略コ形の金具の折曲肩部に水抜き孔となる小孔を形成しているため、その凹凸成型時に、折曲肩部にひび割れが生じ易く、不良品の原因となる。また、コンクリート本体と水抜き金具との接合時に、肩部の小孔にコンクリートが詰まって塞がれていまい、さらに、使用時に肩部の小孔内にゴミが詰まりやすく、掃除が面倒である。
【０００７】
本考案は、以上の点に鑑み、上述した従来のコンクリート本体と略コ形水抜き金具との複合型側溝蓋の課題を解決することを目的としている。
すなわち、本考案は、水抜き金具とコンクリート本体との固定を確実なものとし、永年使用によってもコンクリート本体に対し水抜き金具が傾き変形するということがなく、また、水抜き金具の成型が容易で、不良品の発生がなく、さらに、使用時の排水がスムーズで、清掃が容易な、改良された複合型の側溝蓋と、これに使用する水抜き金具を提供することを目的としている。
【課題を解決するための手段】
【０００８】
前記目的を達成するための手段を、図の実施形態を参照して説明する。
請求項１に記載の本考案は、コンクリート本体２の上面に、水抜き孔１６を有する水抜き金具１０が埋め込み状に固定され、水抜き孔１６から導入される排水が、コンクリート本体２に上下貫通状に形成された水抜き口３を介して、排出されるようにした道路などの側溝蓋１において、
水抜き金具１０は、開放部を下向きとした断面略コ形状とされるとともに、その両側片部の下縁部には、長手方向に全通して外方向に略Ｌ形折曲状に係止片１３，１３が形成され、水抜き金具１０の上片部１２の中間部には、その長手方向に全通して溝部１４が折曲状に形成され、溝部１４の両側壁部は、上片部１２の上面左右の略水平な土手部１５，１５に対し上方向に拡大するように傾斜状に形成され、溝部１４の溝底と土手部１５，１５には水抜き孔１６が形成されており、
前記水抜き金具１０の係止片１３，１３が前記コンクリート本体２のコンクリート内部に突出して一体的に抜け止め固定されていることを特徴とする道路などの側溝蓋である。
【０００９】
上記請求項１の考案では、水抜き金具１０は、開放部を下向きとした断面略コ形状とされるとともに、その両側片部の下縁部には、長手方向に全通して外方向に略Ｌ形折曲状に係止片１３，１３が形成されているところから、係止片１３，１３が、水抜き金具１０の全長さにわたり連続して、コンクリート本体２のコンクリート内部に突出して一体的に抜け止め固定されている。これにより、水抜き金具１０の固定が強固で安定しており、そのコンクリート打設による固定作業も容易であり、長年使用によっても、コンクリート本体２の上面において、水抜き金具１０が変形し又は傾くということがない。
また、水抜き金具１０の成型作業も容易であり、係止片や水抜き孔の形成によるひび割れや、不良品の発生がない。
【００１０】
請求項２の考案は、前記水抜き金具１０は、その前記溝部１４の溝底の複数位置に、水抜き金具１０の長手方向に長い長孔１６ａが間隔を置いて形成され、複数の各長孔１６ａの両側部に対向する前記土手部１５，１５には、各長孔１６ａの長手方向に沿って間隔をおいて複数の丸孔よりなる小孔１６ｂが形成され、各長孔１６ａとその両側部に対向する複数の各小孔１６ｂの組により、前記水抜き孔１６が形成されていることを特徴とする請求項１に記載の道路などの側溝蓋である。
【００１１】
上記請求項２の考案では、雨水などの排水は、溝部１４上面両側の土手部１５，１５に形成された複数の丸孔よりなる小孔１６ｂから側溝内に排出され、残りの排水と木の葉などのゴミ類は、溝部１４の傾斜両側壁部に誘導されて、溝底の長孔１６ａから効率良く排出される。これにより、水抜き孔１６の目詰まりが少なく、排出効率も良好で、掃除も容易である。
【００１２】
請求項３の考案は、前記水抜き金具１０に形成された前記長孔１６ａの少なくとも一部の長孔１６ａの長手方向の中間部には、長孔１６ａの幅を大径とするように丸孔よりなる大径部１６ａ’が形成されていることを特徴とする請求項２に記載の道路などの側溝蓋である。
【００１３】
上記請求項３の考案では、溝底に流入した小石などの比較的大径のゴミ類が大径部１６ａ’から排出され、これにより、水抜き孔１６の目詰まりが少なく、排出効率も良好で、掃除も容易である。
【００１４】
請求項４の考案は、請求項１乃至３のいずれか１項に記載の道路などの側溝蓋１に用いる水抜き金具１０において、
水抜き金具１０は、開放部を下向きとした断面略コ形状とされるとともに、その両側片部の下縁部には、長手方向に全通して外方向に略Ｌ形折曲状に係止片１３，１３が形成され、水抜き金具１０の上片部１２の中間部には、その長手方向に全通して溝部１４が折曲状に形成され、溝部１４の両側壁部は、上片部１２の上面左右の略水平な土手部１５，１５に対し上方向に拡大するように傾斜状に形成され、溝部１４の溝底と土手部１５，１５には水抜き孔１６が形成されていることを特徴とする水抜き金具である。
【００１５】
請求項５の考案は、前記水抜き金具１０は、その前記溝部１４の溝底の複数位置に、水抜き金具１０の長手方向に沿って長い長孔１６ａが間隔を置いて形成され、複数の各長孔１６ａの両側部に対向する前記土手部１５には、複数の各長孔１６ａの長手方向に沿って間隔をおいて複数の丸孔よりなる小孔１６ｂが形成され、各長孔１６ａとその両側部に対向する各小孔１６ｂの組により、前記水抜き孔１６が形成されており、前記長孔１６ａのうち少なくとも一部の長孔１６ａの長手方向の中間部には、長孔の幅を大径とするように丸孔よりなる大径部１６ａ’が形成されていることを特徴とする請求項４に記載の水抜き金具である。
【考案の効果】
【００１６】
請求項１の側溝蓋、又は、請求項４の水抜き金具にかかる考案では、上述したように、水抜き金具は、開放部を下向きとした断面略コ形状とされるとともに、その両側片部の下縁部には、長手方向に全通して外方向に略Ｌ形折曲状に係止片が形成されているところから、係止片が、水抜き金具の全長さにわたり連続して、コンクリート本体のコンクリート内部に突出して一体的に抜け止め固定される。
これにより、水抜き金具の固定が強固で安定しており、そのコンクリート打設による固定作業も容易であり、長年使用によっても、コンクリート本体の上面において、水抜き金具が変形し又は傾くということがない。
また、水抜き金具の成型作業も容易であり、係止片や水抜き孔の形成によるひび割れや、不良品の発生も生じない。
【００１７】
請求項２の側溝蓋、又は、請求項５の水抜き金具にかかる考案では、雨水などの排水は、溝部上面両側の土手部に形成された複数の丸孔よりなる小孔から側溝内に排出され、残りの排水と木の葉などのゴミ類は、溝部の傾斜両側壁部に誘導されて、溝底の長孔から効率良く排出される。これにより、水抜き孔の目詰まりが少なく、排出効率も良好で、掃除も容易である。
【００１８】
請求項３の側溝蓋、又は、請求項５の水抜き金具にかかる考案では、溝底に流入した小石などの比較的大径のゴミ類が長孔中間の大径部から排出され、これにより、水抜き孔の目詰まりが少なく、排出効率も良好で、掃除も容易である。
【図面の簡単な説明】
【００１９】
【図１】本考案にかかる側溝蓋の上方から見た斜視図である。
【図２】本考案にかかる側溝蓋の下方から見た斜視図である。
【図３】図１のＡ−Ａ断面図である。
【図４】図１のＢ−Ｂ断面図である。
【図５】本考案にかかる水抜き金具の斜視図である。
【図６】図５のＣ−Ｃ拡大断面図である。
【考案を実施するための形態】
【００２０】
以下、本考案を適用した実施の形態例を図１〜図６を参照して説明する。
図１乃至図４は、本考案の第１実施形態に係る側溝蓋を示し、図５及び図６は、本考案の第１実施形態に係る水抜き金具を示すものである。
第１実施形態に係る道路などの側溝蓋１は、矩形ブロック状のコンクリート本体２の上面に、水抜き孔１６を有する水抜き金具１０が埋め込み状に固定され、水抜き孔１６から導入される排水が、コンクリート本体２に上下貫通状に形成された水抜き口３を介して、道路などの側溝内に排出される。
【００２１】
水抜き金具１０は、図５に示すように、断面略コ形状の長手の金属板材であり、開放部を下向きとした断面略コ形状とされるとともに、その両側片部の下縁部には、長手方向に全通して外方向に略Ｌ形折曲状に係止片１３，１３が形成されている。水抜き金具１０の上片部１２の中間部には、その長手方向に全通して溝部１４が折曲状に形成され、溝部１４の両側壁部は、上片部１２の上面左右の水平な土手部１５，１５に対し上方向に拡大するように傾斜状に形成され、溝部１４の溝底と土手部１５，１５には水抜き孔１６が形成されている。水抜き金具１０の上面板は、略逆台形状に一体的に折り曲げ形成されている。
【００２２】
水抜き金具１０は、その上記溝部１４の溝底の複数位置（図では３個所）に、水抜き金具１０の長手方向に長い長孔１６ａが間隔を置いて形成され、複数の各長孔１６ａの両側部に対向する上記水平な土手部１５，１５には、各長孔１６ａの長手方向に沿って間隔をおいて複数（図では左右３個づつ）の丸孔よりなる小孔１６ｂが形成され、各長孔１６ａとその両側部に対向する複数の各小孔１６ｂの組により、上記水抜き孔１６が形成されている。
【００２３】
上記水抜き金具１０に形成された上記長孔１６ａの少なくとも一部（図では中間部）の長孔１６ａの長手方向の中間部には、長孔１６ａの幅を大径とするように丸孔よりなる大径部１６ａ’が形成されている。
【００２４】
長手の上記水抜き金具１０が、矩形ブロック状の上記コンクリート本体２の上面に、コンクリート本体２の一辺に沿って埋め込み状に固定されている。この埋め込み固定状態において、水抜き金具１０の係止片１３，１３がコンクリート本体２のコンクリート内部に突出して一体的に抜け止め固定されている。
【００２５】
水抜き金具１０の固定状態において、各水抜き孔１６がコンクリート本体２の上面に表出されている。
コンクリート本体２の上面には、コンクリートの成型時において、水抜き金具１０が嵌合される嵌合凹部が形成されており、各水抜き孔１６の組（図では３組）に対応する、コンクリート本体２の内部には、上記嵌合凹部の内底面とコンクリート本体２の底面とを貫通する、上記水抜き口３が形成されている。
【００２６】
上記第１実施形態に係る側溝蓋１は、道路などの側溝の蓋として使用される。
使用状態において、雨水などの排水は、水抜き孔１６から水抜き口３を通って、側溝内に排出される。
【００２７】
上記排出状態において、雨水などの排水は、溝部１４上面両側の土手部１５，１５に形成された複数の丸孔よりなる小孔１６ｂから側溝内に排出され、残りの排水と木の葉などのゴミ類は、溝部１４の傾斜両側壁部に誘導されて、溝底の長孔１６ａから効率良く排出される。また、溝底に流入した小石などの比較的大径のゴミ類は大径部１６ａ’から排出され、これにより、水抜き孔１６の目詰まりが少なく、排出効率も良好で、掃除も容易である。
【産業上の利用可能性】
【００２８】
本考案に係る道路などの側溝蓋は、公園やグランドなどの溝や小川などの蓋としても有効に使用することができる。
【符号の説明】
【００２９】
１    側溝蓋
２    コンクリート本体
３    水抜き口
１０  水抜き金具
１１  側片部
１２  上片部
１３  係止片
１４  溝部
１５  土手部
１６  水抜き孔
１６ａ  長孔、１６ａ’  大径部
１６ｂ  小孔
【図１】
0003181930.tif 000003
【図２】
0003181930.tif 000004
【図３】
0003181930.tif 000005
【図４】
0003181930.tif 000006
【図５】
0003181930.tif 000007
【図６】
0003181930.tif 000008